(57)【要約】【課題】  画像読取部が画像読み取りの作動中であることの表示を破損や怪我のない状態で行う。【解決手段】  原稿の画像を読み取る画像読取部と、該画像読取部上の原稿を押さえ付ける圧板または原稿載置台から前記画像読取部へ原稿を搬送する自動原稿搬送装置と、画像読取部の動作状況に応じて圧板または原稿載置台の開閉動作を禁止または許可するロック機構と、圧板または原稿載置台に設けられ、圧板または原稿載置台の開閉動作の許可または禁止を点字によって表示すると共に前記ロック機構に連動して圧板または原稿載置台の表面上で平面的に変位可能となっている点字表示部材とを備える。【選択図】  図４
2006251733.tif 000002
【特許請求の範囲】
【請求項１】
原稿の画像を読み取る画像読取部と、該画像読取部上の原稿を押さえ付ける圧板または原稿載置台から前記画像読取部へ原稿を搬送する自動原稿搬送部と、前記画像読取部の動作状況に応じて前記圧板または原稿載置台の開閉動作を禁止または許可するロック機構と、
を有することを特徴とする画像読取装置。
【請求項２】
前記ロック機構は、前記画像読取部が停止中であることを示す状態にあるときには、前記圧板または自動原稿搬送部の開閉動作を許可するようにしたことを特徴とする請求項１記載の画像読取装置。
【請求項３】
前記圧板または原稿載置台に設けられ、前記圧板または原稿載置台の開閉動作の許可または禁止を点字によって表示すると共に前記ロック機構に連動して前記圧板または原稿載置台の表面上で平面的に変位可能となっている点字表示部材を有することを特徴とする請求項１または２記載の画像読取装置。
【請求項４】
前記点字表示部材の変位は、前記圧板または原稿載置台の表面上における平面内での回転またはスライド移動であることを特徴とする請求項１から３のいずれか１項に記載の画像読取装置。
【発明の詳細な説明】
【技術分野】
【０００１】
本発明は、複写機、ファクシミリ等における原稿画像を読み取る画像読取装置に関する。
【背景技術】
【０００２】
複写機等の画像読取装置では、コンタクトガラス上に原稿を置いて圧板を閉じて原稿画像を読み取ったり、自動原稿搬送装置（ＡＤＦ）の原稿載置台に複数の原稿を載置して原稿画像を読み取ったりすることがなされている。このような原稿画像への読取の際には、画像読取装置が使用中であることをユーザに知らせるために、操作パネルの液晶表示器が所定の表示を行うようになっている。
【０００３】
しかしながら、このような画像読取装置においては動作中であることを操作パネルの表示により行っているため、ユーザが健常者であるときには、その確認を行うことができるが、ユーザが視覚障害者の場合には表示を視認することができないため、動作中であるか否かを判断することが難しい。このため、画像読取装置の動作中に圧板や自動原稿搬送装置を開ける操作ミスが発生している。
【０００４】
特許文献１には、このような視覚障害者に対する認識を可能とするための画像読取装置が開示されている。この画像読取装置では、圧板または自動原稿搬送装置の原稿載置台に円筒状の可動標識部材を突出可能に設けており、画像の読み取りの際に可動標識部材を突出させてユーザが手で触れることにより動作中であることを認識させる構造となっている。
【特許文献１】特開２００２−３６５７４２号公報
【発明の開示】
【発明が解決しようとする課題】
【０００５】
しかしながら、可動標識部材を突出させる構造では、突出している可動標識部材に身体が接触する可能性があり、接触によって可動標識部材が破損したり、ユーザが怪我をする問題を有している。
【０００６】
本発明はこのような事情を考慮してなされたものであり、画像読取の作動中であることを突出する可動標識部材により表示することなく、破損や怪我のない安全な画像読取装置を提供することを目的とする。
【課題を解決するための手段】
【０００７】
請求項１記載の発明は、原稿の画像を読み取る画像読取部と、該画像読取部上の原稿を押さえ付ける圧板または原稿載置台から前記画像読取部へ原稿を搬送する自動原稿搬送部と、前記画像読取部の動作状況に応じて前記圧板または原稿載置台の開閉動作を禁止または許可するロック機構と、を有することを特徴とする。
【０００８】
請求項２記載の発明は、請求項１記載の発明において、前記ロック機構は、前記画像読取部が停止中であることを示す状態にあるときには、前記圧板または自動原稿搬送部の開閉動作を許可するようにしたことを特徴とする。
【０００９】
請求項３記載の発明は、請求項１または２記載の発明において、前記圧板または原稿載置台に設けられ、前記圧板または原稿載置台の開閉動作の許可または禁止を点字によって表示すると共に前記ロック機構に連動して前記圧板または原稿載置台の表面上で平面的に変位可能となっている点字表示部材を有することを特徴とする。
【００１０】
請求項４記載の発明は、請求項１から３のいずれか１項に記載の発明において、前記点字表示部材の変位は、前記圧板または原稿載置台の表面上における平面内での回転またはスライド移動であることを特徴とする。
【発明の効果】
【００１１】
本発明の画像読取装置によれば、圧板または原稿載置台の開閉動作の許可または禁止を点字によって表示する点字表示部材を圧板または原稿載置台に設けているため、視覚障害者が手で触って確認することができる。また、点字表示部材は、圧板または原稿載置台の表面上で平面的に変位可能となっているため、圧板や原稿載置台から突出することがない。このため、ユーザが接触することがなく、接触による点字表示部材が破損したり、ユーザが怪我をしたりすることがない安全性を確保することができる。
【発明を実施するための最良の形態】
【００１２】
図１は本発明の一実施形態が適用された複写機１０の斜視図、図２は内部の構成を示すブロック図、図３は作動を示すフローチャート、図４は点字表示部材の作動を示す平面図である。
【００１３】
図１に示す複写機１０は本発明の画像読取装置を構成するものであり、本体３と、本体３の上面に開閉可能に取り付けられた圧板４とを備えている。
【００１４】
本体３の上面は原稿が載置されるコンタクトガラス（図示省略）となっている。圧板４はコンタクトガラスに対して開閉可能となっており、その閉作動によってコンタクトガラス上に載置された原稿を押さえ付ける。また、開作動によってコンタクトガラスを開放し、この開放によってコンタクトガラスへの原稿の載置または原稿の取り出しを行うことが可能となっている。
【００１５】
本体３内におけるコンタクトガラスの下方には、光源ランプや複数のミラーからなる操作ユニットと、結像レンズ等の光学系と、ＣＣＤラインセンサ及びその信号処理回路と、その他の構成部材とからなる画像読取部（図示省略）が設けられている。また、本体３における手前側には液晶表示器５ａ、スタートボタン等が配置された操作パネル５が設けられている。
【００１６】
図１の複写機１０は、コンタクトガラス上に原稿を１枚ずつ載置することにより原稿を読み取る画像読取装置となっている。本発明においては、これ以外に自動原稿搬送装置を備えた画像読取装置にも適用できるものである。この自動原稿搬送装置は、図示を省略するが、複数の原稿が重ね合わせ状態で載置される原稿載置台を本体３の上部に設けた構造となっており、原稿載置台から画像読取部を順次搬送するものである。以下、この自動原稿搬送装置を含めた実施形態に基づいて本発明を説明する。
【００１７】
図２に示すように、画像読取装置は画像読取部２１と、画像形成部２２とを有している。画像読取部２１は上述した各部材から構成される。画像形成部２２は、電子写真方式により記録紙に画像を形成するものであり、感光体と、感光体の周囲に配置された帯電チャージャと、感光体に画像を書き込むレーザ書込ユニットと、現像ユニットと、転写チャージャと、クリーニングユニット等からなる作像プロセス装置を備えている。また、これに加えて画像形成部２２は、転写紙の給紙トレーと、転写紙の搬送装置と、転写紙に転写された画像の定着装置を備えている。
【００１８】
画像読取部２１は圧板または原稿載置台２３と、自動原稿搬送装置２４と、ロック機構２５と、点字表示部材２６とを備えている。ロック機構２５は画像読取部２１の動作状況が入力され、入力された動作状況に応じて圧板または原稿載置台２３の開閉動作を禁止または許可する。このロック機構２５には、圧板または原稿載置台２３と自動原稿搬送装置２４とが直接に連結されている。また、ロック機構２５は点字表示部材２６が上述した許可または禁止と連動するように制御している。
【００１９】
点字表示部材２６は圧板または原稿載置台２３の開閉動作の許可または禁止を点字によって表示するものである。図２において、符号２６ｂはこの表示を行う点字装置であり、符号２６ａはこの点字装置２６ｂを変位させる平板である。平板２６ａは点字装置２６ｂを圧板または原稿載置台２３の表面上で平面的に変位させるものである。
【００２０】
点字表示部材２６における平面的な変位は、圧板または原稿載置台２３の表面上で変位するものであり、表面上における平面内での回転あるいはスライド移動によって行うことができる。この点字表示部材２６は図１に示す位置Ｘまたは位置Ｙに配置される。位置Ｘは圧板４の表面における手前部分であり、位置Ｙは操作パネル５の表面における片側の手前部分となっている。このような位置ＸまたはＹに点字表示部材２６を配置することによりユーザの手が届きやすいため、点字表示部材２６の確認を容易に行うことができる。
【００２１】
図３は、以上の構成に基づいた作動を示す。ステップＳ１０では、画像読取部の原稿載置台に原稿が置かれ、ステップＳ１１では、圧板または原稿載置台及び自動原稿搬送装置が動作中か否かを判断し、判断の内容によって処理が分かれる。動作中でない場合は、ロック機構が圧板または原稿載置台及び自動原稿搬送装置を開閉可とし（ステップＳ１７）、その意味を示す点字を表示する（ステップＳ１８）。また、点字装置２６ｂが平面内で変位する。
【００２２】
一方、動作中の場合は、ロック機構が圧板または原稿載置台及び自動原稿搬送装置を開閉不可とし（ステップＳ１２）、その意味を示す点字を表示する（ステップＳ１３）。このときには、点字装置２６ｂが平面内で変位する。その上で、画像読取部２１は原稿を読み取る（ステップＳ１４）。画像読取部２１は、原稿読み取りの動作が終了したか否かをチェックし（ステップＳ１５）、動作が終了していない場合は原稿読み取り続行する（ステップＳ１４）。終了した場合は、画像形成部２２が転写紙に画像を印刷し、排紙する（ステップＳ１６）。これに続いて、ロック機構が圧板または原稿載置台及び自動原稿搬送装置を開閉可にし（ステップＳ１７）、その意味を示す点字を表示する（ステップＳ１８）。また、点字装置２６ｂが平面内で変位する。
【００２３】
図４は点字装置２６ｂの変位を示している。同図（Ａ）は画像読取部２１の動作が停止している場合を示し、ロック機構２５によって圧板または原稿載置台２３が開閉可能となっている。このときには、点字装置２６ｂは「（停止中）」を点字によって表示する。同図（Ｂ）は画像読取部２１が動作中の場合を示し、この場合はロック機構２５によって圧板または原稿載置台２３が開閉不可となる。このときは、点字装置２６ｂは「（動作中）」を点字で表示すると共に、この表示状態で平面内で回転する。同図（Ｃ）はこれに続いて画像読取部２１の作動が再び停止した状態を示し、ロック機構２５によって圧板または原稿載置台２３が開閉可能となる。このときは、点字装置２６ｂは「（停止中）」を点字によって表示すると共に、この表示状態で平面内で回転する。
【００２４】
このような実施形態によれば、点字装置２６ｂが圧板または原稿載置台２３の開閉動作の許可または禁止を点字によって表示すると共に、この表示状態で圧板または原稿載置台２３の表面上における平面内で回転変位するため、点字装置２６ｂが圧板または原稿載置台２３から突出することがない。図１において、符号Ｂは特許文献１に記載された可動標識部材であり、この可動標識部材は圧板または原稿載置台２３の表面から突出するため、ユーザとの接触によって破損したり、ユーザが怪我したりする危険性があるのに対し、この実施形態では、点字装置２６ｂが平面内で変位するため、破損や怪我の原因となることがない。これに加えて、点字装置２６ｂが圧板または原稿載置台２３の開閉動作の許可または禁止を点字によって表示するため、視覚障害者が手で触って確認することができる。さらに、平面内での変位を手で触ることができ、視覚障害者による確認をさらに確実に行うことができる。
【図面の簡単な説明】
【００２５】
【図１】本発明の一実施形態が適用された複写機の斜視図である。
【図２】複写機の構造を示すブロック図である。
【図３】作動を示すフローチャートである。
【図４】点字表示部材の変位を示す平面図である。
【符号の説明】
【００２６】
３    本体
４    圧板
５    操作パネル
１０    複写機
２１    画像読取部
２２    画像形成部
２３    圧板または原稿載置台
２４    自動原稿搬送装置
２５    ロック機構
２６    点字表示部材
２６ｂ    点字装置
【図１】
2006251733.tif 000003
【図２】
2006251733.tif 000004
【図３】
2006251733.tif 000005
【図４】
2006251733.tif 000006